(57)【要約】【課題】ＲＡＷ画像データと同等の画質を有する拡大画像をカラーモニタに高速に表示することが可能な電子スチルカメラを提供する。【解決手段】画像処理部４は撮像して得たＲＡＷ画像データをＪＰＥＧ画像に変換する。記録制御部７は、画像データ一時記憶部３２を介してＪＰＥＧ画像を画像記録部９の管理データ領域に格納する。読出制御部８は画像記録部９内のＪＰＥＧ画像を読み出し、読出データ一時記憶部３３を介して再生画像処理部５に入力する。再生画像処理部５は、ＪＰＥＧ画像を表示部６に表示させる。表示するとき、ＲＡＷ画像データからＪＰＥＧの画像データに変換する必要がないので表示の高速化が実現できる。【選択図】図１
2005080225.tif 000002
【特許請求の範囲】
【請求項１】
被写体を撮像する撮像手段と、
前記撮像手段によって取得されたＲＡＷ画像データを一時記憶するＲＡＷ画像データ一時記憶手段と、
前記ＲＡＷ画像データ記憶手段に一時記憶されたＲＡＷ画像データに画像処理を行って圧縮画像データを生成する画像処理手段と、
前記画像処理手段によって作成された圧縮画像データを一時記憶する画像データ一時記憶手段と、
前記ＲＡＷ画像データ一時記憶手段に記憶されたＲＡＷ画像データと前記画像データ一時記憶手段に記憶された圧縮画像データを結合し、一つの新たな画像データとして書込む書込制御手段と、
前記書込制御手段により前記新たな画像データを格納する画像記録手段と、
前記画像記録手段から前記新たな画像データを読み出す読出制御手段と、
前記読出制御手段により読み出された前記新たな画像データを一時記憶する読出データ一時記憶手段と、
前記読出データ一時記憶手段に記憶された前記新たな画像データから再生用画像データを生成する再生用画像処理手段と、
前記再生用画像処理手段により生成した再生用画像データを表示する表示手段と、
から構成されることを特徴とする電子スチルカメラ。
【請求項２】
請求項１記載の電子スチルカメラにおいて、
前記圧縮画像データの画素数とＲＡＷ画像データの画素数は、ほぼ同一であることを特徴とする電子スチルカメラ。
【請求項３】
請求項１記載の電子スチルカメラにおいて、
前記表示手段は、再生用画像データを拡大表示することを特徴とする電子スチルカメラ。
【請求項４】
管理データ領域と画像データ領域から構成される画像データを格納する画像記録手段を有する電子スチルカメラにおいて、
前記画像データ領域にＲＡＷ画像データを書込み、前記画像データの管理データ領域に前記ＲＡＷ画像データから生成した圧縮画像データを書込む書込制御手段と、
を備えたことを特徴とする電子スチルカメラ。
【請求項５】
請求項４に記載の電子スチルカメラにおいて、
前記画像データの管理データ領域には、互いに画素数の異なる複数の圧縮画像データが格納されていることを特徴とする電子スチルカメラ。
【請求項６】
請求項５記載の電子スチルカメラにおいて、
前記複数の圧縮データの中から、再生して表示するのに最も適した圧縮画像データを選択して読み出す読出手段を備えたことを特徴とする電子スチルカメラ。
【発明の詳細な説明】
【技術分野】
【０００１】
本発明は、撮像した画像をＲＡＷ画像データとして記録再生する機能を有する電子スチルカメラに関する。
【背景技術】
【０００２】
従来技術において、ＲＡＷ画像データを記録再生可能な電子スチルカメラは、被写体を撮影して取得したＲＡＷ画像データを、電子スチルカメラに対して着脱自在なコンパクトフラッシュ（登録商標）等のメモリに格納する。
電子スチルカメラのカラーモニタに撮影した画像を表示する場合、メモリからＲＡＷ画像データを読み出し、読み出したＲＡＷ画像データを一時記憶するバッファメモリに格納し、格納したＲＡＷ画像データを読み出してＪＰＥＧ画像データに変換処理し、変換処理された画像データをカラーモニタに表示していた。これによって、カラーモニタは、撮影された画像の一部を拡大表示する。
【０００３】
また、他の従来技術としては、ＲＡＷ画像データとＪＰＥＧ画像データを別々の画像データとしてコンパクトフラッシュ（登録商標）等のメモリに格納しておき、電子スチルカメラのカラーモニタに撮影した画像を表示する場合、二つの画像データのうちＪＰＥＧ画像データを読み出して一時記憶するバッファメモリに格納し、その後、カラーモニタに表示していた。これによって、カラーモニタは、撮影された画像の一部を拡大表示する。
【０００４】
ＲＡＷ画像データをＪＰＥＧ画像データに変換してカラーモニタに表示したり、ＲＡＷ画像データとＪＰＥＧ画像データを別々の画像データとして格納し、ＪＰＥＧ画像データを読み出してカラーモニタに表示するのは、撮影した画像を電子スチルカメラのカラーモニタに拡大表示して、合焦状態を確認するためである（特許文献１参照）。
【特許文献１】特開２０００−１３４５２５号公報
【発明の開示】
【発明が解決しようとする課題】
【０００５】
従来技術には次のような問題点がある。
第１に、コンパクトフラッシュ（登録商標）等のメモリに格納されたＲＡＷ画像データをＪＰＥＧ等の画像データに変換してカラーモニタに表示する従来技術は、コンパクトフラッシュ（登録商標）等のメモリからＲＡＷ画像データを読み出す際、大容量のＲＡＷ画像データ（１画素１２ビット表示）を一時記憶するバッファメモリとして、大容量のものを必要とする。また、大容量のＲＡＷ画像データをＪＰＥＧ画像データに変換する必要があるため、表示されるまでに多大の時間を要する。
【０００６】
第２に、ＲＡＷ画像データとＪＰＥＧ画像データを別々の画像データとして格納し、ＪＰＥＧ画像データを読み出してカラーモニタに表示する従来技術は、一つの画像について二つの画像データが必要になる。その結果、目的の画像を検索するのに時間がかかる。また、コンパクトフラッシュ（登録商標）等のメモリに一画像について二つの画像データを作成するため、メモリを多く消費する。
【０００７】
本発明は、前記した従来技術の問題点に鑑み為されたもので、一つの画像データを用い、かつＲＡＷ画像データと同等の画質を有する拡大画像を表示部（カラーモニタ）に高速に表示することが可能な電子スチルカメラを提供することを目的とする。
【課題を解決するための手段】
【０００８】
請求項１記載の電子スチルカメラは、被写体を撮像する撮像手段と、撮像手段によって取得されたＲＡＷ画像データを一時記憶するＲＡＷ画像データ一時記憶手段と、ＲＡＷ画像データ記憶手段に一時記憶されたＲＡＷ画像データに画像処理を行って圧縮画像データを生成する画像処理手段と、画像処理手段によって作成された圧縮画像データを一時記憶する画像データ一時記憶手段と、ＲＡＷ画像データ一時記憶手段に記憶されたＲＡＷ画像データと画像データ一時記憶手段に記憶された圧縮画像データを結合し、一つの新たな画像データとして格納する書込制御手段と、書込制御手段により新たな画像データを格納する画像記録手段と、画像記録手段から新たな画像データを読み出す読出制御手段と、読出制御手段により読み出された新たな画像データを一時記憶する読出データ一時記憶手段と、読出データ一時記憶手段に記憶された新たな画像データから再生用画像データを生成する再生用画像処理手段と、再生用画像処理手段により生成した再生用画像データを表示する表示手段とから構成されることを特徴とする。
【０００９】
請求項２記載の電子スチルカメラは、請求項１記載の電子スチルカメラにおいて、圧縮画像データの画素数とＲＡＷ画像データの画素数が、ほぼ同一であることを特徴とする。
請求項３記載の電子スチルカメラは、請求項１記載の電子スチルカメラにおいて、表示手段は、再生用画像データを拡大表示することを特徴とする。
請求項４記載の電子スチルカメラは、管理データ領域と画像データ領域から構成される画像データを格納する画像記録手段を有する電子スチルカメラにおいて、画像データ領域にＲＡＷ画像データを書込み、画像データの管理データ領域にＲＡＷ画像データから生成した圧縮画像データを書込む書込制御手段とを備えたことを特徴とする。
【００１０】
請求項５記載の電子スチルカメラは、請求項４に記載の電子スチルカメラにおいて、画像データの管理データ領域に、互いに画素数の異なる複数の圧縮画像データが格納されていることを特徴とする。
請求項６記載の電子スチルカメラは、請求項５記載の電子スチルカメラにおいて、複数の圧縮データの中から、再生して表示するのに最も適した圧縮画像データを選択して読み出す読出手段を備えたことを特徴とする。
【発明の効果】
【００１１】
本発明によれば、ＲＡＷ画像データと、ＲＡＷ画像データから生成した圧縮画像データとが、一つの画像データとして画像記録手段に記録される。その結果、画像の検索が高速化され、かつ圧縮画像データを読み出して表示部（カラーモニタ）に表示するので、読出データ一時記憶部（バッファメモリ）として大容量のものを必要とせず、かつ高速表示が可能になる。
【００１２】
本発明によれば、圧縮画像データの画素数とＲＡＷ画像データの画素数がほぼ同一であるため、ＲＡＷ画像データと同等の画質を有する画像を表示部（カラーモニタ）に高速に表示することが可能になる。
本発明によれば、ＲＡＷ画像データと同等の画質を有する画像を表示部（カラーモニタ）に拡大表示することが可能になる。
【００１３】
本発明によれば、画像記録手段（コンパクトフラッシュ（登録商標）等のメモリ）において、画像データの画像データ領域にＲＡＷ画像データを格納し、画像データの管理データ領域にＲＡＷ画像データから生成した圧縮画像を格納することができる。
本発明によれば、ＲＡＷ画像データを画像データの画像データ領域に格納し、ＲＡＷ画像データから生成した圧縮画像データと、他の複数の圧縮画像データとを画像データの管理データ領域に格納することができる。
【００１４】
本発明によれば、画素数の異なる複数の圧縮画像データを、画像データの管理データ領域に格納することができる。
本発明によれば、画像データの画像データ領域に格納された複数の圧縮画像の中から、再生表示に適した画像を選択表示することができる。
【発明を実施するための最良の形態】
【００１５】
以下、本発明の実施形態について説明する。図１は、本発明の一実施形態の構成を示すブロック図である。
図１において、１はカメラのスイッチ類を操作する操作部、２は被写体を撮像する撮像部、３はＲＡＷ画像データを一時格納するＲＡＷデータ一時記憶部３１と画像処理部４で画像処理された画像データを一時格納する画像データ一時記憶部３２と画像記録部９から読み出された画像データを一時格納する読出データ一時記憶部３３とを備えたバッファメモリ、４は撮像して得たＲＡＷ画像データに対して色空間変換処理や画像圧縮処理や画像縮小処理等を行う画像処理部、５は画像記録部９から読み出された画像データに対してデータの伸張処理や表示用の画像縮小処理や色変換処理等を行って表示用データを作成する再生画像処理部、６は画像を表示する表示部（カラーモニタ）、７はバッファメモリ３のＲＡＷデータ一時記憶部３１及び画像データ一時記憶部３２から出力される画像データを画像記録部９に記録するための書込制御部、８は画像記録部９に記録された画像データを読み出すための読出制御部、９は画像データを格納する画像記録部（具体的には、コンパクトフラッシュ（登録商標）等のメモリ）である。
【００１６】
図２は、図１に示す一実施形態の具体的構成を示すブロック図である。図２において、図１と同一部分には同一符号を付して、その説明を省略する。
図２に示すように、撮像部２は、レンズ２１と、ＣＣＤ２２と、プリプロセス部２３と、Ａ／Ｄ変換器２４と、ＣＣＤドライバ２５とから構成されている。図２において、図１に示す画像処理部４は、ＡＳＩＣ１１と、ＣＰＵ１２と、ＣＰＵプログラムメモリ１３から構成されている。同様に、再生画像処理部５は、ＡＳＩＣ１１と、ＣＰＵ１２と、ＣＰＵプログラムメモリ１３から構成されている。また、書込制御部７及び読出制御部８は、ＡＳＩＣ１１と、ＣＰＵ１２と、ＣＰＵプログラムメモリ１３から構成されている。
【００１７】
図２においては、操作部１はＣＰＵ１２に対してユーザの指示を出力するように構成されている。
また、ＣＰＵプログラムメモリ１３は、ＣＰＵ１２を動作させるためのプログラムを格納している。
図３は、図１と図２に示す画像記録部９に格納される画像データ９０の具体的構成を示す説明図である。図示するように、画像データ９０は、管理データ領域と画像データ領域の二つの領域に分けられる。管理データ領域は、ヘッダ９１とデータＡ（領域９２）とデータＢ（領域９３）とデータＣ（領域９４）から構成されている。画像データ領域は、データＤ（領域９５）から構成されている。
【００１８】
管理データ領域において、ヘッダ９１は、画像データのファイル名や撮影年月日や撮影時の露出等を記録している。データＡは、サムネイルをＪＰＥＧ画像データとして記録している。データＢは、一画面再生用ビュー画像データをＪＰＥＧ画像データとして記録している。データＣは、拡大再生用ビュー画像データをＪＰＥＧ画像データとして記録している。データ領域において、データＤは、ＲＡＷ画像データを記録している。
【００１９】
次に、図１〜図３に示す一実施形態の動作について説明する。なお、この実施形態では、電子スチルカメラはＪＰＥＧ画像データを画像記録部９の画像データ領域に格納する通常格納モードとＲＡＷ画像データを画像記録部９に格納するＲＡＷ画像格納モードのうち、操作部１の設定により、ＲＡＷ画像格納モードに設定されているものとする。
まず、画像記録部９に画像データを書込む処理から説明する。
【００２０】
操作部１は、撮像部２に対して撮像を指示する。撮像部２は、操作部１からの指示に基づいて撮像する。その結果、撮像部２は、レンズ２１で捕らえた像をＣＣＤ２２に結像する。ＣＣＤ２２はＣＣＤドライバ２５の働きにより、レンズ２１で捕らえた像をアナログ信号（ＲＡＷ画像データ）に変換して、プリプロセス部２３に出力する。プリプロセス部２３は、ＣＣＤ２２から入力されるアナログ信号に信号増幅や黒レベル調整等の加工を加えた後、Ａ／Ｄ変換器２４に出力する。Ａ／Ｄ変換器２４は、デジタル信号に変換されたＲＡＷ画像データをＡＳＩＣ１１に出力する。
【００２１】
このとき、ＡＳＩＣ１１は、電子スチルカメラがＲＡＷ画像データ格納モードに設定されているため、入力されたＲＡＷ画像データをバッファメモリ３のＲＡＷデータ一時記憶部３１に出力する（図１参照）。ＲＡＷデータ一時記憶部３１は、入力されたＲＡＷ画像データを格納する。
次に、ＲＡＷデータ一時記憶部３１に格納されたＲＡＷ画像データは、図１に示すように画像処理部４に入力され、色空間変換処理や画像圧縮処理像等を施され、例えば、横縦比が３０００×２０００画素のＪＰＥＧ画像データ（図３のデータＣに対応）に変換される。このＪＰＥＧ画像データは、バッファメモリ３の画像データ一時記憶部３２を介して、書込制御部７の働きにより、図３に示す領域９４にデータＣとして格納される。なお、ＲＧＢの各色が１２ビット（４０９６階調）で表されるＲＡＷ画像データを、ＹＣｂＣｒの各色が８ビットで表されるＪＰＥＧ画像データに変換し、さらに圧縮処理したことにより、画素数は変わらないが、画像サイズ（ビット数）が大幅に減少する。
【００２２】
続いて、画像処理部４は、生成したＪＰＥＧ画像データに再び画像縮小処理を施し、例えば６４０×４８０画素のＪＰＥＧ画像データ（図３のデータＢに対応）に変換する。このＪＰＥＧ画像データは、バッファメモリ３の画像データ一時記憶部３２を介して、書込制御部７の働きにより、図３に示す領域９３にデータＢとして格納される。
続いて、画像処理部４は、縮小処理されたＪＰＥＧ画像データに再度画像縮小処理を施し、１６０×１２０画素のＪＰＥＧ画像データ（図３のデータＡに対応）に変換する。このＪＰＥＧ画像データは、バッファメモリ３の画像データ一時記憶部３２を介して、書込制御部７の働きにより、図３に示す領域９２にデータＡとして格納される。
【００２３】
最後に、ＲＡＷデータ一時記憶部３１に格納されたＲＡＷ画像データが、書込制御部７の働きにより、図３に示す領域９５にデータＤとして格納される。
以上の説明では、図３に示す領域９４、９３、９２、９５の順にＪＰＥＧ画像データＣ、Ｂ、Ａ、及びＲＡＷ画像データＤを格納したが、本発明はこれに限定されるものではない。例えば、画像処理部４でデータＡを作成して領域９２に格納し、続いて画像処理部４でデータＢを作成して領域９３に格納し、続いて画像処理部４でデータＣを作成して領域９４に格納し、最後にＲＡＷデータ一時記憶部３１に格納されたＲＡＷ画像データを領域９５にデータＤとして格納してもよい。
【００２４】
図３に示すように、データＡは、サムネイル用の画像データである。また、データＢは、表示部６（カラーモニタ）の一画面に撮影した画像を収める一画面再生用ビュー画像である。また、データＣは、表示部６（カラーモニタ）の一画面に撮影した画像の一部を拡大して表示する拡大再生用ビュー画像である。
また、図３に示すＲＡＷ画像データＤは、画素数はデータＣと同じ３０００×２０００画素であっても、画像サイズ（ビット数）はとても大きな画像である。これは、前記したように、ＲＧＢの各色が１２ビット（４０９６階調）で表現されるためである。
【００２５】
次に、画像記録部９に格納された画像データを読み出して、表示部６に表示する処理について説明する。
操作部１は、画像データ９０の管理データ領域に格納されているデータＡ、Ｂ、Ｃのうち、領域９４に格納されたデータＣの読み出し処理を指示する。読出制御部８は、この指示に基づいて、データＣを読み出し、バッファメモリ３の読出データ一時記憶部３３に格納する。読出データ一時記憶部３３に格納されたデータＣは再生画像処理部５に入力される。再生画像処理部５は、データＣに基づいて再生用画像データを生成し、表示部（カラーモニタ）６に出力する。
【００２６】
再生画像処理部５は拡大画像を表示部（カラーモニタ）６に表示する。
以上の実施形態においては、データＣ（拡大再生用ビュー画像、ＪＰＥＧ）とデータＤ（ＲＡＷ画像データ）とを同じ画素数であるとして説明した。しかし、本発明はこれに限定されるものではなく、表示部６に表示される拡大画像の画質がＲＡＷ画像データに基づいて画像処理して得られる拡大画像と同程度ならば、データＣ（拡大再生用ビュー画像、ＪＰＥＧ）の画素数を多少減らしてもよい。換言すれば、データＣ（拡大再生用ビュー画像、ＪＰＥＧ）とデータＤ（ＲＡＷ画像データ）の画素数は、ほぼ同一であればよい。
【００２７】
また、この実施形態によれば、ＪＰＥＧのデータＣ（拡大再生用ビュー画像）を読み出して、表示部６に表示するので、データＤ（ＲＡＷ画像データ）を読み出してＪＰＥＧ画像データに変換処理し、変換処理された画像データを表示部６に表示する場合と比較して、表示されるまでの時間が大幅に速くなる。
また、画像記録部９に格納される画像データ９０は、ＲＡＷ画像データＤと拡大用再生用ビュー画像のＪＰＥＧ画像データＤを格納しているにも拘らず、拡大用再生用ビュー画像のＪＰＥＧ画像を管理データ領域に格納しているので、一つの画像データ９０でよく、従来技術のように二つの画像データを必要としない。したがって、画像の検索を高速に行うことができる。
【００２８】
なお、付言すれば、ＪＰＥＧ画像データＣ（拡大再生用ビュー画像）が画像データ９０の管理データ領域に格納されているので、画像記録部９をパーソナルコンピュータに接続して、パーソナルコンピュータの画面にＪＰＥＧ画像データＣを表示するためには、管理データ領域を展開する特別のソフトウェアが必要になる。
【産業上の利用可能性】
【００２９】
本発明は、ＲＡＷ画像データと同等の画質を有する拡大画像を、電子スチルカメラのカラーモニタに高速表示することを可能にするため、産業上利用することがきる。
【図面の簡単な説明】
【００３０】
【図１】本発明の一実施形態の構成を示すブロック図である。
【図２】図１に示す一実施形態の具体的構成を示すブロック図である。
【図３】画像記録部に格納される画像データの具体的に示す説明図である。
【符号の説明】
【００３１】
１  操作部
２  撮像部
３  バッファメモリ
３１  ＲＡＷデータ一時記憶部
３２  画像データ一時記憶部
３３  読出データ一時記憶部
４  画像処理部
５  再生画像処理部
６  表示部（カラーモニタ）
７  書込制御部
８  読出制御部
９  画像記録部
１１  ＡＳＩＣ
１２  ＣＰＵ
１３  ＣＰＵプログラムメモリ
２１  レンズ
２２  ＣＣＤ
２３  プリプロセス部
２４  Ａ／Ｄ変換器
２５  ＣＣＤドライバ
９０  画像データ
９１  ヘッダ
９２、９３、９４、９５  領域
Ａ、Ｂ、Ｃ  データ（ＪＰＥＧ画像データ）
Ｄ  データ（ＲＡＷ画像データ）
【図１】
2005080225.tif 000003
【図２】
2005080225.tif 000004
【図３】
2005080225.tif 000005